(57)【要約】【課題】  ユーザの利用頻度の高い表示項目を優先的に表示することにより、ユーザが利用する表示項目にたどり着くまでの時間を短くし、操作性を向上させる。【解決手段】  Ｗｅｂサーバと、クライアントＰＣがインターネットを介して接続されるＷｅｂ検索システムにおいて、前記クライアントＰＣを使用するユーザが、クライアントＰＣのディスプレイに表示されたＷｅｂ画面上で操作した表示項目の操作回数を使用頻度の情報として、ユーザ毎にＷｅｂサーバの統計情報データベースに記憶しておき、ユーザが、同じＷｅｂ画面の表示要求を前記Ｗｅｂサーバに要求した場合に、Ｗｅｂサーバが、統計情報データベースに記憶されたユーザ毎の表示項目の使用頻度情報に基づき、表示項目を画面の上位部分から使用頻度の高い順に並べたＷｅｂ画面データをクライアントＰＣに送信し、クライアントＰＣのディスプレイに表示項目を画面の上位部分から使用頻度の高い順に表示したＷｅｂ画面を表示させる。【選択図】        図３
2005258492.tif 000002
【特許請求の範囲】
【請求項１】
Ｗｅｂサーバと、クライアントＰＣがインターネットを介して接続されるＷｅｂ検索システムにおける、前記クライアントＰＣのディスプレイに表示されるＷｅｂ画面に前記Ｗｅｂサーバから出力される複数の表示項目を表示するＷｅｂ画面の表示方法であって、
前記クライアントＰＣを使用するユーザが、前記クライアントＰＣのディスプレイに表示されたＷｅｂ画面上で操作した表示項目の操作回数を使用頻度の情報として、前記ユーザ毎に前記Ｗｅｂサーバの統計情報データベースに記憶しておき、
前記ユーザが、同じＷｅｂ画面の表示要求を前記Ｗｅｂサーバに要求した場合に、前記Ｗｅｂサーバが、前記統計情報データベースに記憶された前記ユーザ毎の表示項目の使用頻度情報に基づき、前記表示項目を画面の上位部分から使用頻度の高い表示項目順に表示するＷｅｂ画面データを前記クライアントＰＣに送信し、前記クライアントＰＣのディスプレイに前記表示項目を前記画面の上位部分から使用頻度の高い表示項目順に表示したＷｅｂ画面を表示させることを特徴とするＷｅｂ画面の表示方法。
【請求項２】
前記ユーザの操作により、前記表示項目を前記画面の上位部分から使用頻度の高い表示項目順に表示するＷｅｂ画面、あるいは、前記表示項目をシステムが設定した順序で表示するＷｅｂ画面を、前記クライアントＰＣのディスプレイに切り替えて表示させることを特徴とする請求項１に記載のＷｅｂ画面の表示方法。
【発明の詳細な説明】
【技術分野】
【０００１】
本発明は、Ｗｅｂ画面の表示方法に係り、特に、Ｗｅｂ画面の表示項目の表示方法に関する。
【背景技術】
【０００２】
従来のＷｅｂ画面の表示方法としては、クライアントパーソナルコンピュータ（以下、クライアントＰＣという）のディスプレイのＷｅｂ画面上に、システムのＷｅｂサーバが予め決定した表示項目順に、個々の表示項目を表示する方法が一般に知られている（下記、特許文献参照）。
【０００３】
なお、本願発明に関連する先行技術文献としては以下のものがある。
【特許文献１】特開２００２−１３２４１０号公報
【発明の開示】
【発明が解決しようとする課題】
【０００４】
前記の特許文献に記載されている方法によれば、ユーザが表示項目を利用する為には、画面スクロールが発生し、利用する表示項目にたどり着くまでに時間が掛かるという問題点があった。
本発明は、前記従来技術の問題点を解決するためになされたものであり、本発明の目的は、ユーザの利用頻度の高い表示項目を優先的に表示することにより、ユーザが利用する表示項目にたどり着くまでの時間を短くし、操作性を向上させることが可能なＷｅｂ画面の表示方法を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明は、Ｗｅｂサーバと、クライアントＰＣがインターネットを介して接続されるＷｅｂ検索システムにおける、前記クライアントＰＣのディスプレイに表示されるＷｅｂ画面に前記Ｗｅｂサーバから出力される複数の表示項目を表示するＷｅｂ画面の表示方法であって、前記クライアントＰＣを使用するユーザが、前記クライアントＰＣのディスプレイに表示されたＷｅｂ画面上で操作した表示項目の操作回数を使用頻度の情報として、前記ユーザ毎に前記Ｗｅｂサーバの統計情報データベースに記憶しておき、前記ユーザが、同じＷｅｂ画面の表示要求を前記Ｗｅｂサーバに要求した場合に、前記Ｗｅｂサーバが、前記統計情報データベースに記憶された前記ユーザ毎の表示項目の使用頻度情報に基づき、前記表示項目を画面の上位部分から使用頻度の高い表示項目順に表示するＷｅｂ画面データを前記クライアントＰＣに送信し、前記クライアントＰＣのディスプレイに前記表示項目を前記画面の上位部分から使用頻度の高い表示項目順に表示したＷｅｂ画面を表示させることを特徴とする。
また、本発明では、前記ユーザの操作により、前記表示項目を前記画面の上位部分から使用頻度の高い表示項目順に表示するＷｅｂ画面、あるいは、前記表示項目をシステムが設定した順序で表示するＷｅｂ画面を、前記クライアントＰＣのディスプレイに切り替えて表示させることを特徴とする。
【発明の効果】
【０００６】
本願において開示される発明のうち代表的なものによって得られる効果を簡単に説明すれば、下記の通りである。
本発明のＷｅｂ画面の表示方法によれば、よく使用する表示項目が優先的にＷｅｂ画面の上から表示されるので、ユーザが利用する表示項目にたどり着くまでの時間を短くし、同じ項目を何度も利用するユーザの操作性を向上させることが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例のＷｅｂ画面表示方法が適用されるＷｅｂ検索システムの概略構成を示すブロック図である。
同図において、１００はクラインアントＰＣ、１０１はインターネットまたはイントラネット、１０２はインターネットまたはイントラネットに接続するための通信回線、１０３はインターネットまたはイントラネットとＷｅｂサーバを接続するための通信回線、１０４は表示項目の画面を生成するＷｅｂサーバ、１０５は統計情報データベースを格納する補助記憶装置部である。
図２は、Ｗｅｂ検索システムが、システム初期導入時に決定し設定したＷｅｂ画面の表示例を示す図である。
同図において、２００はクライアントＰＣ１００のディスプレイ上に、ブラウザにより表示される表示画面、２０１は表示画面上の操作ボタン、２０２は優先表示数、２０３は文書ＩＤの設定項目、２０４は文書名の設定項目、２０５は作成日の設定項目、２０６は所有者の設定項目、２０７は文書サイズの設定項目、２０８はコメントの設定項目である。
【０００８】
図３は、本実施例のＷｅｂ画面の表示方法の特徴である、表示項目を使用頻度の高い順に表示するＷｅｂ画面の表示例を示す図である。
同図において、３００はクライアントＰＣ１００のディスプレイ上に、ブラウザにより表示される表示画面、３０１は表示画面上の操作ボタン、３０２は優先表示数、３０３は文書名の設定項目、３０４は所有者の設定項目、３０５は作成日の設定項目、３０６は文書ＩＤの設定項目、３０７は文書サイズの設定項目、３０８はコメントの設定項目である。
図４は、図１に示す補助記憶装置１０５に格納される統計情報データベース内のレコードフォーマットを示す図である。
同図において、４００は画面を操作したユーザを識別するユーザＩＤ、４０１は操作画面毎に付ける画面を特定する画面ＩＤ、４０２はブラウザで設定する各表示項目の使用回数を示す。
図５は、図１に示す補助記憶装置１０５に格納される統計情報データベースのレコードの具体的な格納内容を示す図であり、図３に示す使用頻度の高い表示項目の表示例に対応するものである。
同図において、５００は画面を操作したユーザを識別するユーザＩＤ、５０１は操作画面毎に付ける画面を特定する画面ＩＤ、５０２はブラウザで設定する各表示項目の使用回数、５０３は図３に示す使用頻度の高い表示項目例の情報レコードを示す。
【０００９】
次に、本実施例のＷｅｂ画面の表示方法について具体的に説明する。
図６は、本実施例のＷｅｂ画面の表示方法における、表示項目の使用頻度登録の処理手順を示すフローチャートである。
図６を用いて、表示項目の使用頻度登録処理について説明する。
なお、図２に示すシステムが設定したＷｅｂ画面の画面ＩＤをＡ−１、画面を使用するユーザを識別するＩＤをＵＳＥＲ００１として説明する。
まず、利用するユーザが、クライアントＰＣ１００のディスプレイ上に表示された、図２に示すシステムが設定したＷｅｂ画面（表示画面２００）上の設定項目（２０３〜２０８）に対してデータを入力し（ステップ６０１）、操作ボタン２０１をクリックする（ステップ６０２）。
これにより、Ｗｅｂサーバ１０４へ、ユーザＩＤ、画面ＩＤ、設定データが転送される（ステップ６０３）。
Ｗｅｂサーバ１０４は、転送されてきたデータの中に設定項目があるか否かを判定し（ステップ６０４）、ステップ６０４でＮＯの場合（即ち、設定項目がない場合）には処理を終了する。
【００１０】
ステップ６０４でＹＥＳの場合（即ち、設定項目がある場合）には、ユーザＩＤ（ＵＳＥＲ００１）と画面ＩＤ（Ａ−１）をＡＮＤ条件にして、補助記憶装置１０５に格納される統計情報データベースを検索する（ステップ６０５）。
補助記憶装置１０５に格納される統計情報データベース内のレコードフォーマットは、図４に示すように、ユーザＩＤ４００と画面ＩＤ４０１と各設定項目の使用回数４０２と構成されている。仮に、補助記憶装置１０５に格納される統計情報データベースのレコードの具体的な格納内容が図５に示すものであるとすると、検索した結果、図５に示す５０３のレコードが検索される。
次に、５０３のレコード内の、ステップ６０４で判定された設定項目に対応するレコードの使用回数５０２を＋１カウントアップし（ステップ６０６）、カウントアップした設定項目の使用回数を統計情報データベースへ登録する（ステップ６０７）。この後、ステップ６０４に進み、前述の処理を繰り返す。
【００１１】
図７は、本実施例のＷｅｂ画面の表示方法における、表示項目を使用頻度の高い順に表示するための処理手順を示すフローチャートである。
図７を用いて、使用頻度の高い順に表示項目を表示する処理手順について説明する。
なお、図７では、図３に示す表示項目を使用頻度の高い順に表示するＷｅｂ画面の画面ＩＤをＡ−１、画面を使用するユーザを識別するＩＤをＵＳＥＲ００１として説明する。
まず、利用するユーザが、クライアントＰＣ１００から、図３に示すＷｅｂ画面の表示要求を行う（ステップ７０１）。
クライアントＰＣ１００のディスプレイに表示された、図３に示すＷｅｂ画面（表示画面３００）の優先表示数３０２を入力し、操作ボタン（ここでは、確定ボタン）３０１をクリックする（ステップ７０２）
これにより、Ｗｅｂサーバ１０４へユーザＩＤ、画面ＩＤ、優先表示数が転送される（ステップ７０３）。
次に、Ｗｅｂサーバ１０４において、ユーザＩＤ（ＵＳＥＲ００１）と画面ＩＤ（Ａ−１）をＡＮＤ条件にして、補助記憶装置１０５に格納される統計情報データベースを検索し（ステップ７０４）、検索されたレコードの各表示項目の使用回数を元に昇順ソートする（ステップ７０５）。
【００１２】
次に、昇順ソートした結果から優先表示数分の上位の表示項目を生成し（ステップ７０６）、また、優先表示項目以外の固定表示項目を生成する（ステップ７０７）。
これらの表示項目のデータが、クライアントＰＣ１００に転送され、クライアントＰＣ１００のブラウザによりディスプレイに表示される（ステップ７０８）。
なお、本実施例において、ユーザの操作により、表示項目を前記画面の上位部分から使用頻度の高い表示項目順に表示するＷｅｂ画面（図３に示す表示画面３００）、あるいは、表示項目をＷｅｂ検索システムが設定した順序で表示するＷｅｂ画面（図２に示す表示画面２００）を、クライアントＰＣ１００のディスプレイに切り替えて表示させるようにしてもよい。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１３】
【図１】本発明の実施例のＷｅｂ画面表示方法が適用されるＷｅｂ検索システムの概略構成を示すブロック図である。
【図２】Ｗｅｂ検索システムが、システム初期導入時に決定し設定したＷｅｂ画面の表示例を示す図である。
【図３】本発明の実施例のＷｅｂ画面の表示方法の特徴である、表示項目を使用頻度の高い順に表示するＷｅｂ画面の表示例を示す図である。
【図４】図１に示す統計情報データベース内のレコードフォーマットを示す図である。
【図５】図１に示す統計情報データベースのレコードの具体的な格納内容を示す図である。
【図６】本発明の実施例のＷｅｂ画面の表示方法における、表示項目の使用頻度登録の処理手順を示すフローチャートである。
【図７】本発明の実施例のＷｅｂ画面の表示方法における、表示項目を使用頻度の高い順に表示するための処理手順を示すフローチャートである。
【符号の説明】
【００１４】
１００  クライアントＰＣ
１０１  インターネット／イントラネット
１０２，１０３  通信回線
１０４  Ｗｅｂサーバ
１０５  統計情報データベースを格納する補助記憶装置部
２００，３００  表示画面
２０１，３０１  画面の操作ボタン
２０２，３０２  優先表示数情報
２０３，３０６  文書ＩＤの設定項目情報
２０４，３０３  文書名の設定項目情報
２０５，３０５  作成日の設定項目情報
２０６，３０４  所有者の設定項目情報
２０７，３０７  文書サイズの設定項目情報
２０８，３０８  コメントの設定項目情報
４００，５００  画面を操作したユーザを識別するユーザＩＤ情報
４０１，５０１  操作画面毎に付ける画面を特定する画面ＩＤ情報
４０２，５０２  ブラウザで設定する各項目の使用回数情報
【図１】
2005258492.tif 000003
【図２】
2005258492.tif 000004
【図３】
2005258492.tif 000005
【図４】
2005258492.tif 000006
【図５】
2005258492.tif 000007
【図６】
2005258492.tif 000008
【図７】
2005258492.tif 000009